(57)【要約】  スピーカー音孔がレシーバー音孔から十分に距離を隔てて配置された携帯端末装置を提供する。本発明の一形態に係る携帯端末装置（１）は、筐体（２）と、筐体（２）における第１の主面（２ａ）の側に配置された第１の表示手段（３）と、筐体（２）における第１の主面（２ａ）に対して逆側の第２の主面（２ｂ）の側に配置された第２の表示手段（４）と、筐体（２）の第１の主面（２ａ）に形成されたレシーバー音孔（２ｉ）と、筐体（２）内に固定されたレシーバー（５）と、筐体（２）の側面における第１の表示手段（３）を挟んでレシーバー音孔（２ｉ）に対して逆側の領域に形成されたスピーカー音孔（２ｊ）と、筐体（２）内に固定されたスピーカー（６）と、を備える。
2014068807.tif 000002
【特許請求の範囲】
【請求項１】
筐体と、
前記筐体における第１の主面の側に配置された第１の表示手段と、
前記筐体における前記第１の主面に対して逆側の第２の主面の側に配置された第２の表示手段と、
前記筐体の第１の主面に形成されたレシーバー音孔と、
前記筐体内に固定され、前記レシーバー音孔と前記筐体の第１の主面に対して直交する方向に重ねられたレシーバーと、
前記筐体の側面における前記第１の表示手段を挟んで前記レシーバー音孔に対して逆側の領域に形成されたスピーカー音孔と、
前記筐体内に固定され、前記スピーカー音孔と前記筐体における前記スピーカー音孔が形成された側面に対して直交する方向に重ねられたスピーカーと、
を備える携帯端末装置。
【請求項２】
前記スピーカーは、前記筐体における前記スピーカー音孔が形成された側面に対して傾けて配置されている、請求項１に記載の携帯端末装置。
【請求項３】
前記筐体は、第１の筐体と、第２の筐体と、前記第１の筐体と前記第２の筐体とを開閉可能に連結するヒンジと、を備え、
前記筐体における第１の主面は、前記第１の筐体と前記第２の筐体とを閉じた状態で、前記第１の筐体における前記第２の筐体と向かい合う面に対して逆側の面であり、
前記筐体における第２の主面は、前記第１の筐体と前記第２の筐体とを閉じた状態で、前記第２の筐体における前記第１の筐体と向かい合う面に対して逆側の面である、請求項１又は２に記載の携帯端末装置。
【請求項４】
前記ヒンジは、前記第１の筐体と前記第２の筐体とを開いた状態又は閉じた状態で維持する、請求項３に記載の携帯端末装置。
【請求項５】
前記レシーバー音孔は前記第１の筐体に形成され、
前記スピーカー音孔は前記第２の筐体に形成されている、請求項３又は４に記載の携帯端末装置。
【請求項６】
筐体における第１の主面の側に第１の表示手段を配置する工程と、
前記筐体における前記第１の主面に対して逆側の第２の主面の側に第２の表示手段を配置する工程と、
前記筐体の第１の主面にレシーバー音孔を形成する工程と、
前記レシーバー音孔と前記筐体の第１の主面に対して直交する方向に重なるように、前記筐体内にレシーバーを固定する工程と、
前記筐体の側面における前記第１の表示手段を挟んで前記レシーバー音孔に対して逆側の領域にスピーカー音孔を形成する工程と、
前記スピーカー音孔と前記筐体における前記スピーカー音孔が形成された側面に対して直交する方向に重なるように、前記筐体内にスピーカーを固定する工程と、
を備える携帯端末装置の製造方法。
【発明の詳細な説明】
【技術分野】
【０００１】
本発明は、携帯端末装置及び携帯端末装置の製造方法に関する。
【背景技術】
【０００２】
携帯端末装置として、携帯電話機、タブレット端末、ＰＤＡ（Personal Digital Assistants）等が普及しており、レシーバーやスピーカー等の配置に工夫が凝らされている。例えば特許文献１及び２の携帯端末装置は、筐体の主面における上部にレシーバー音孔を形成し、筐体の左右方向に配置された側面にスピーカー音孔を形成している。
【先行技術文献】
【特許文献】
【０００３】
【特許文献１】特開２０１０−１０３７６３号公報
【特許文献２】特開２０１０−６８４８５号公報
【発明の概要】
【発明が解決しようとする課題】
【０００４】
スピーカーから出力される音は、レシーバーから出力される音に比べて大きい。そのため、ユーザがレシーバーに耳を近付けた際に、誤操作等によってスピーカーから音が出力されても、ユーザに影響を与えないように、スピーカー音孔をレシーバー音孔から距離を隔てて配置することが好ましい。【０００５】
しかし、特許文献１及び２の携帯端末装置は、筐体の主面における上部にレシーバー音孔を形成し、筐体の左右方向に配置された側面にスピーカー音孔を形成しているため、スピーカー音孔をレシーバー音孔から十分に距離を隔てて配置することが難しい。【０００６】
本発明の目的は、上述した課題を解決するためになされたものであり、スピーカー音孔がレシーバー音孔から十分に距離を隔てて配置された携帯端末装置及び携帯端末装置の製造方法を提供することである。
【課題を解決するための手段】
【０００７】
本発明の一形態に係る携帯端末装置は、筐体と、前記筐体における第１の主面の側に配置された第１の表示手段と、前記筐体における前記第１の主面に対して逆側の第２の主面の側に配置された第２の表示手段と、前記筐体の第１の主面に形成されたレシーバー音孔と、前記筐体内に固定され、前記レシーバー音孔と前記筐体の第１の主面に対して直交する方向に重ねられたレシーバーと、前記筐体の側面における前記第１の表示手段を挟んで前記レシーバー音孔に対して逆側の領域に形成されたスピーカー音孔と、前記筐体内に固定され、前記スピーカー音孔と前記筐体における前記スピーカー音孔が形成された側面に対して直交する方向に重ねられたスピーカーと、を備える。【０００８】
本発明の一形態に係る携帯端末装置の製造方法は、筐体における第１の主面の側に第１の表示手段を配置する工程と、前記筐体における前記第１の主面に対して逆側の第２の主面の側に第２の表示手段を配置する工程と、前記筐体の第１の主面にレシーバー音孔を形成する工程と、前記レシーバー音孔と前記筐体の第１の主面に対して直交する方向に重なるように、前記筐体内にレシーバーを固定する工程と、前記筐体の側面における前記第１の表示手段を挟んで前記レシーバー音孔に対して逆側の領域にスピーカー音孔を形成する工程と、前記スピーカー音孔と前記筐体における前記スピーカー音孔が形成された側面に対して直交する方向に重なるように、前記筐体内にスピーカーを固定する工程と、を備える。
【発明の効果】
【０００９】
本発明によれば、スピーカー音孔がレシーバー音孔から十分に距離を隔てて配置された携帯端末装置及び携帯端末装置の製造方法を提供することができる。
【図面の簡単な説明】
【００１０】
【図１】実施の形態１の携帯端末装置を概略的に示す上方斜視図である。
【図２】実施の形態１の携帯端末装置を概略的に示す下方斜視図である。
【図３】実施の形態１の携帯端末装置の制御系のブロック図である。
【図４】実施の形態２の携帯端末装置における、スピーカ近傍を示す断面図である。
【図５】実施の形態３の携帯端末装置の筐体を閉じた状態を示す上方斜視図である。
【図６】実施の形態３の携帯端末装置の筐体を開いた状態を示す下方斜視図である。
【図７】実施の形態４の携帯端末装置における第１の筐体と第２の筐体とが開いた状態を概略的に示す斜視図である。
【図８】実施の形態４の携帯端末装置における第１の筐体と第２の筐体とが開いた状態を概略的に示す異なる斜視図である。
【発明を実施するための形態】
【００１１】
本発明の実施の形態に係る携帯端末装置及び携帯端末装置の製造方法について説明する。但し、本発明が以下の実施の形態に限定される訳ではない。また、説明を明確にするため、以下の記載及び図面は、適宜、簡略化されている。
【００１２】
＜実施の形態１＞
図１は、本実施の形態の携帯端末装置を概略的に示す上方斜視図である。図２は、本実施の形態の携帯端末装置を概略的に示す下方斜視図である。図３は、本実施の形態の携帯端末装置の制御系のブロック図である。ちなみに、本実施の形態の携帯端末装置１は、携帯電話機として構成しているが、タブレット端末、ＰＤＡ等でも略同様に実施することができる。
【００１３】
図１乃至図３に示すように、携帯端末装置１は、筐体２、第１の表示部３、第２の表示部４、レシーバー５、スピーカー６、マイク７、制御部８及び通信部９を備えている。
【００１４】
筐体２は、第１の表示部３、第２の表示部４、レシーバー５、スピーカー６、マイク７、制御部８及び通信部９を搭載している。この筐体２は、厚さ方向で向かい合う面にそれぞれ開口部が形成されている。本実施の形態の筐体２は、厚さ方向から見て略矩形状に形成されている。そして、筐体２は、厚さ方向で向かい合う主面２ａ、２ｂ、長手方向で向かい合う側面２ｃ、２ｄ、及び短手方向で向かい合う側面２ｅ、２ｆを備えている。筐体２の主面（第１の主面）２ａには開口部２ｇが形成されている。また、筐体２の主面（第２の主面）２ｂには開口部２ｈが形成されている。
【００１５】
ここで、筐体２にはレシーバー音孔２ｉが形成されている。本実施の形態のレシーバー音孔２ｉは、第１の主面２ａにおける開口部２ｇを挟んで長手方向に配置された両領域のうち、一方の領域に形成されている。詳細には、レシーバー音孔２ｉは、第１の主面２ａを貫通するように形成されている。そのため、レシーバー音孔２ｉは、第１の主面２ａと同一平面上に形成されている。そして、レシーバー音孔２ｉは、当該領域における筐体２の短手方向の略中央部に配置されている。また、レシーバー音孔２ｉは長孔に形成されており、レシーバー音孔２ｉの長手方向が筐体２の短手方向に配置されている。但し、レシーバー音孔２ｉの形状は特に限定されない。
【００１６】
また、筐体２にはスピーカー音孔２ｊが形成されている。本実施の形態のスピーカー音孔２ｊは、開口部２ｇを挟んでレシーバー音孔２ｉが配置された側に対して逆側に配置された側面２ｄに形成されている。詳細には、スピーカー音孔２ｊは、側面２ｄを貫通するように形成されている。そのため、スピーカー音孔２ｊは、側面２ｄと同一平面上に形成されている。そして、スピーカー音孔２ｊは、側面２ｄにおける筐体２の短手方向の略中央部に配置されている。また、スピーカー音孔２ｊは長孔に形成されており、スピーカー音孔２ｊの長手方向が筐体２の短手方向に配置されている。但し、スピーカー音孔２ｊの形状は特に限定されない。
【００１７】
さらに、筐体２にはマイク音孔２ｋが形成されている。本実施の形態のマイク音孔２ｋは、側面２ｄにおけるスピーカー音孔２ｊの近傍に配置されており、側面２ｄを貫通するように形成されている。但し、マイク音孔２ｋの配置は、特に限定されず、レシーバー音孔２ｉにユーザが耳を近付けたとき、マイク音孔２ｋがユーザの口近傍に配置されればよい。
【００１８】
第１の表示部３は、携帯端末装置１の操作部や画像表示部として機能する。第１の表示部３は、筐体２の第１の主面２ａ側に配置されている。本実施の形態の第１の表示部３は、バックライト、液晶パネル及び当該液晶パネルを覆うタッチパネル等を備えている。第１の表示部３は、筐体２の開口部２ｇから露出するように、筐体２に固定されている。
【００１９】
第２の表示部４も、携帯端末装置１の操作部や画像表示部として機能する。第２の表示部４は、筐体２の第２の主面２ｂ側に配置されている。そして、第２の表示部４は、第１の表示部３と略同形同大に形成されていることが好ましい。本実施の形態の第２の表示部４も、バックライト、液晶パネル及び当該液晶パネルを覆うタッチパネル等を備えている。第２の表示部４は、筐体２の開口部２ｈから露出するように、筐体２に固定されている。
【００２０】
レシーバー５は、受話音等を出力する。本実施の形態のレシーバー５は、筐体２の厚さ方向でレシーバー音孔２ｉと重なるように配置されており、筐体２に固定されている。その結果、レシーバー５から出力された音は、レシーバー音孔２ｉから筐体２の外部に放出される。
【００２１】
スピーカー６は、図示を省略した記憶部に格納された音楽データ等を出力する。本実施の形態のスピーカー６は、筐体２の長手方向でスピーカー音孔２ｊと重なるように配置されており、筐体２に固定されている。その結果、スピーカー６から出力された音は、スピーカー音孔２ｊから筐体２の外部に放出される。
【００２２】
マイク７は、ユーザの音声等を信号に変換する。本実施の形態のマイク７は、筐体２の長手方向でマイク音孔２ｋと重なるように配置されており、筐体２に固定されている。その結果、ユーザの音声等がマイク音孔２ｋを通ってマイク７に入力される。
【００２３】
制御部８は、図示を省略した記憶部に格納されているプログラムに基づいて、携帯端末装置１としての機能を実現する。例えば制御部８は、記憶部に格納されているプログラム及び第１の表示部３又は第２の表示部４からの入力信号に基づいて、第１の表示部３や第２の表示部４を制御したり、通信部９から入力される信号をレシーバー５に出力したり、マイク７から入力される信号を通信部９に出力したりする。また、制御部８は、記憶部に格納されているプログラム及び第１の表示部３又は第２の表示部４からの入力信号に基づいて、記憶部に格納されている音楽データ等をスピーカー６に出力する。さらに制御部８は、記憶部に格納されているプログラム及び第１の表示部３又は第２の表示部４からの入力信号に基づいて、通信部９を制御する。
【００２４】
通信部９は、例えば公衆通信回線から送信された信号を復調して制御部８に出力したり、制御部８から入力される信号を変調して公衆通信回線に出力したりする。
【００２５】
このような携帯端末装置１を用いて通話をする際は、ユーザの耳をレシーバー音孔２ｉに近付け、ユーザの口をマイク音孔２ｋに近付ける。つまり、携帯端末装置１を用いて電話をする際は、携帯端末装置１は筐体２の長手方向を上下方向に向けた形態で使用される。
【００２６】
このとき、本実施の形態の携帯端末装置１は、第１の主面２ａにおける開口部２ｇを挟んで長手方向に配置された両領域のうち、一方の領域にレシーバー音孔２ｉが形成されている。そして、開口部２ｇを挟んでレシーバー音孔２ｉが配置された側に対して逆側に配置された側面２ｄにスピーカー音孔２ｊが形成されている。つまり、開口部２ｇ、ひいては第１の表示部３を挟んでレシーバー音孔２ｉとスピーカー音孔２ｊとが配置されている。そのため、スピーカー音孔２ｊをレシーバー音孔２ｉに対して十分に距離を隔てて配置することができる。特に、筐体２の長手方向にスピーカー音孔２ｊとレシーバー音孔２ｉとの距離を確保したので、当該距離を稼ぐことができる。したがって、誤操作等によってスピーカー６から音が出力されても、スピーカー音孔２ｊはユーザの耳から離れているので、ユーザに影響を及ぼすことが少ない。
【００２７】
しかも、スピーカー音孔２ｊは筐体２の側面２ｄに形成されているので、携帯端末装置１を机等に載置した際に、筐体２の第１の主面２ａ又は第２の主面２ｂを机等の上面に接触させても、スピーカー音孔２ｊが塞がれることがなく、良好に音を出力することができる。
【００２８】
また、第２の主面２ｂ側にはレシーバー音孔２ｉ等が形成されないため、携帯端末装置１における第１の主面２ａ側か第２の主面２ｂ側かを目視により、簡単に識別することができる。例えば筐体２の側辺を中心として携帯端末装置１を回転させた際に、第１の表示部３と第２の表示部４とが略等しい位置に配置される構成としても、レシーバー音孔２ｉの形成面を確認することで、携帯端末装置１における第１の主面２ａ側か第２の主面２ｂ側かを識別することができる。つまり、筐体２の側辺を中心として携帯端末装置１を回転させた際に、筐体１に対して第１の表示部３と第２の表示部４とが長手方向及び短手方向に等しい位置に配置される構成としても、携帯端末装置１における第１の主面２ａ側か第２の主面２ｂ側かを容易に識別することができる。
【００２９】
＜実施の形態２＞
本実施の形態の携帯端末装置は、スピーカーの配置以外は実施の形態１の携帯端末装置と同様の構成とされている。そのため、相違部分を主に説明し、重複する説明は省略する。なお、同一の要素には同一の符号を用いて説明する。
【００３０】
図４は、本実施の形態の携帯端末装置における、スピーカー近傍を示す断面図である。図４に示すように、携帯端末装置２１のスピーカー６は、筐体２の側面２ｄに対して傾けて配置されている。詳細には、スピーカー６の振動面６ａがスピーカー音孔２ｊ側に配置された形態で、筐体２の側面２ｄに対して角度θで第１の表示部３側に傾いている。これにより、スピーカー６を大型化しても、筐体２の厚さを抑制することができ、携帯端末装置１の音響特性の向上と薄型化に寄与することができる。
【００３１】
＜実施の形態３＞
本実施の形態の携帯端末装置は、筐体が開閉可能な構成とされていること以外は実施の形態１の携帯端末装置と同様の構成とされている。そのため、相違部分を主に説明し、重複する説明は省略する。なお、同一の要素には同一の符号を用いて説明する。
【００３２】
図５は、本実施の形態の携帯端末装置の筐体を閉じた状態を示す上方斜視図である。図６は、本実施の形態の携帯端末装置の筐体を開いた状態を示す下方斜視図である。図５及び図６に示すように、携帯端末装置３１は、第１の筐体３２、第２の筐体３３及びヒンジ３４を備えている。つまり、第１の筐体３２と第２の筐体３３とは開閉可能にヒンジ３４を介して連結されている。
【００３３】
第１の筐体３２は、厚さ方向から見て略矩形状に形成されている。詳細には、第１の筐体３２は、厚さ方向で向かい合う主面、長手方向で向かい合う側面、及び短手方向で向かい合う側面を備えている。
【００３４】
そして、第１の筐体３２と第２の筐体３３とを閉じた状態で、第１の筐体３２における第２の筐体３３と向かい合う主面に対して逆側の主面３２ａに開口部３２ｂが形成されている。この開口部３２ｂから第１の表示部３が露出する。
【００３５】
また、第１の筐体３２の主面３２ａにおける第１の表示部３を挟んで長手方向に配置された両領域のうち、一方の領域にレシーバー音孔３２ｃが形成されている。このレシーバー音孔３２ｃと第１の筐体３２の厚さ方向に重なるようにレシーバー５が配置され、レシーバー５は第１の筐体３２に固定されている。
【００３６】
第２の筐体３３も、厚さ方向から見て略矩形状に形成されており、例えば第１の筐体３２と略同形同大に形成されている。詳細には、第２の筐体３３は、厚さ方向で向かい合う主面、長手方向で向かい合う側面、及び短手方向で向かい合う側面を備えている。
【００３７】
そして、第１の筐体３２と第２の筐体３３とを閉じた状態で、第２の筐体３３における第１の筐体３２と向かい合う主面に対して逆側の主面３３ａに開口部３３ｂが形成されている。この開口部３３ｂから第２の表示部４が露出する。つまり、携帯端末装置３１は、第１の筐体３２と第２の筐体３３とを閉じた状態で、第１の表示部３及び第２の表示部４が露出する。
【００３８】
また、第１の筐体３２と第２の筐体３３とを閉じた状態で、厚さ方向から見て、第２の筐体３３における長手方向で向かい合う側面のうち、第２の表示部４を挟んでレシーバー音孔３２ｃに対して逆側に配置される側面３３ｃにスピーカー音孔３３ｄが形成されている。このスピーカー音孔３３ｄと第２の筐体３３の長手方向に重なるようにスピーカー６が配置され、スピーカー６は第２の筐体３３に固定されている。
【００３９】
さらに第２の筐体３３の側面３３ｃには、スピーカー音孔３３ｄの近傍にマイク音孔３３ｅが形成されている。このマイク音孔３３ｅと第２の筐体３３の長手方向に重なるようにマイク７が配置され、マイク７は第２の筐体３３に固定されている。
【００４０】
このような携帯端末装置３１は、第１の筐体３２と第２の筐体３３とを閉じた状態で、厚さ方向から見て、第２の筐体３３における長手方向で向かい合う側面のうち、第２の表示部４を挟んでレシーバー音孔３２ｃに対して逆側に配置される側面３３ｃにスピーカー音孔３３ｄが形成されている。そのため、スピーカー音孔３３ｄはレシーバー音孔３２ｃに対して筐体の長手方向に十分に距離を隔てて配置されている。したがって、誤操作等によってスピーカー６から音が出力されても、スピーカー音孔３３ｄはユーザの耳から離れているので、ユーザに影響を及ぼすことが少ない。
【００４１】
ちなみに、制御部８や通信部９は、第１の筐体３２又は第２の筐体３３のいずれかに搭載すればよい。また、マイク７は第２の筐体３３ではなく、第１の筐体３２に搭載し、第１の筐体３２に形成したマイク音孔を介してマイクに音が入力される構成でもよい。さらに、スピーカー６は第２の筐体３３ではなく、第１の筐体３２に搭載し、第１の筐体３２に形成したスピーカー音孔を介して音が放出される構成でもよい。また、第１の筐体３２と第２の筐体３３とを閉じた際に、第１の筐体３２における第２の筐体３３と向かい合う面、又は第２の筐体３３における第１の筐体３２と向かい合う面に表示部を配置してもよい。
【００４２】
＜実施の形態４＞
本実施の形態の携帯端末装置は、ヒンジの構成以外は実施の形態３の携帯端末装置と同様の構成とされている。そのため、相違部分を主に説明し、重複する説明は省略する。なお、同一の要素には同一の符号を用いて説明する。
【００４３】
図７は、本実施の形態の携帯端末装置における第１の筐体と第２の筐体とが開いた状態を概略的に示す斜視図である。図８は、本実施の形態の携帯端末装置における第１の筐体と第２の筐体とが開いた状態を概略的に示す異なる斜視図である。
【００４４】
図７及び図８に示すように、本実施の形態の携帯端末装置４１におけるヒンジ４２は、第１の筐体３２と第２の筐体３３とを開いた状態、又は閉じた状態で維持することができる構成とされている。例えばヒンジ４２は、ストッパー機能を備えている。これにより、図７及び図８に示すように、第１の表示部３又は第２の表示部４を視認し易い角度に固定して、携帯端末装置４１を机等に載置することができる。
【００４５】
本発明は上記実施の形態に限られたものではなく、趣旨を逸脱しない範囲で適宜変更することが可能である。
【００４６】
この出願は、２０１２年１０月２９日に出願された日本出願特願２０１２−２３８０６３を基礎とする優先権を主張し、その開示の全てをここに取り込む。
【産業上の利用可能性】
【００４７】
本発明は、携帯電話機、タブレット端末、ＰＤＡ（Personal Digital Assistants）等の携帯端末装置及び携帯端末装置の製造方法に利用可能である。
【符号の説明】
【００４８】
１  携帯端末装置
２  筐体、２ａ  第１の主面、２ｂ  第２の主面、２ｃ、２ｄ、２ｅ、２ｆ  側面、２ｇ、２ｈ  開口部、２ｉ  レシーバー音孔、２ｊ  スピーカー音孔、２ｋ  マイク音孔
３  第１の表示部
４  第２の表示部
５  レシーバー
６  スピーカー、６ａ  振動面
７  マイク
８  制御部
９  通信部
２１  携帯端末装置
３１  携帯端末装置
３２  第１の筐体、３２ａ  主面、３２ｂ  開口部、３２ｃ  レシーバー音孔
３３  第２の筐体、３３ａ  主面、３３ｂ  開口部、３３ｃ  側面、３３ｄ  スピーカー音孔、３３ｅ  マイク音孔
３４  ヒンジ
４１  携帯端末装置
４２  ヒンジ
【図１】
2014068807.tif 000003
【図２】
2014068807.tif 000004
【図３】
2014068807.tif 000005
【図４】
2014068807.tif 000006
【図５】
2014068807.tif 000007
【図６】
2014068807.tif 000008
【図７】
2014068807.tif 000009
【図８】
2014068807.tif 000010
【国際調査報告】
2014068807.tif 000011
2014068807.tif 000012
2014068807.tif 000013
2014068807.tif 000014